(57)【要約】【課題】ユーザ装置に対してＷｅｂページを送信する前に、該Ｗｅｂページの表示料金を該ユーザ装置に通知する。【解決手段】  オペレータサーバ１が、ユーザ装置３からＷｅｂページの表示料金の確認要求を受け付けて、該Ｗｅｂページの取得依頼をＣＮ４に対して送信し、該依頼に応じたＣＮ４から該Ｗｅｂページを取得する。オペレータサーバ１が、取得されたＷｅｂページの表示料金の算出を料金事前算出サーバ２に依頼する。そして、料金事前算出サーバ２が、該Ｗｅｂページの表示料金の情報を算出して、該Ｗｅｂページの表示料金の情報をオペレータサーバ１に送信する。オペレータサーバ１は、該Ｗｅｂページの表示料金の情報をユーザ装置３に通知してユーザ装置３上に表示させる。【選択図】図１
2009003694.tif 000002
【特許請求の範囲】
【請求項１】
Ｗｅｂページの表示料金を通知する方法であって、
ユーザ装置から該ユーザ装置がＷｅｂページを表示するために必要な表示料金の確認要求を受け付け、
上記表示料金の確認要求に対応するＷｅｂページを取得し、
該取得したＷｅｂページの情報量を取得し、
該Ｗｅｂページの情報量に基づいて、該Ｗｅｂページの表示料金を算出し、
該Ｗｅｂページを上記ユーザ装置に送信する前に、上記算出された表示料金の情報を該ユーザ装置に通知する
ことを特徴とする表示料金通知方法。
【請求項２】
上記ユーザ装置から、上記Ｗｅｂページの送信要求を、該Ｗｅｂページの表示限度額の情報とともに受け付け、
予め設定された、Ｗｅｂページのデータ内容毎の、上記ユーザ装置に表示させる優先順位と表示料金との対応情報に基づいて、表示料金が上記表示限度額以下となる送信データを選択し、選択された送信データを上記ユーザ装置に送信する
ことを特徴とする請求項１に記載の表示料金通知方法。
【請求項３】
上記ユーザ装置から、上記Ｗｅｂページの送信要求を、該Ｗｅｂページの表示限度額の情報とともに受け付け、
表示料金が上記表示限度額以下となるように、上記Ｗｅｂページのデータを編集し、該編集されたデータを上記ユーザ装置に送信する
ことを特徴とする請求項１に記載の表示料金通知方法。
【請求項４】
オペレータサーバと料金事前算出サーバとを備え、ユーザ装置にＷｅｂページの表示料金を通知する表示料金通知システムにおける料金事前算出サーバであって、
上記オペレータサーバから、該オペレータサーバが上記ユーザ装置から受け付けたＷｅｂページの表示料金の確認要求に応じて該オペレータサーバが取得したＷｅｂページの情報量を取得する手段と、
該取得されたＷｅｂページの情報量に基づいて、該Ｗｅｂページの表示料金を算出する手段と、
上記オペレータサーバが上記ユーザ装置から受け付けたＷｅｂページの送信要求に応じて該Ｗｅｂページを上記ユーザ装置に送信する前に、上記オペレータサーバに、上記算出されたＷｅｂページの表示料金の情報を上記ユーザ装置に通知させる手段とを備える
ことを特徴とする料金事前算出サーバ。
【請求項５】
上記オペレータサーバから、該オペレータサーバが上記Ｗｅｂページの送信要求とともに上記ユーザ装置から受け付けた該Ｗｅｂページの表示限度額の情報を取得する手段と、  予め設定された、Ｗｅｂページのデータ内容毎の、上記ユーザ装置に表示させる優先順位と表示料金との対応情報に基づいて、表示料金が上記表示限度額以下となる送信データを選択し、選択された送信データを上記ユーザ装置に送信する手段とを備える
ことを特徴とする請求項４に記載の料金事前算出サーバ。
【請求項６】
上記オペレータサーバから、該オペレータサーバが上記Ｗｅｂページの送信要求とともに上記ユーザ装置から受け付けた該Ｗｅｂページの表示限度額の情報を取得する手段と、  表示料金が上記表示限度額以下となるように、上記Ｗｅｂページのデータを編集し、該編集されたデータを上記ユーザ装置に送信する手段とを備える
ことを特徴とする請求項４に記載の料金事前算出サーバ。
【請求項７】
オペレータサーバと料金事前算出サーバとを備え、ユーザ装置にＷｅｂページの表示料金を通知する表示料金通知システムであって、
上記オペレータサーバが、
上記ユーザ装置から該ユーザ装置がＷｅｂページを表示するために必要な表示料金の確認要求を受け付ける手段と、
上記表示料金の確認要求に対応するＷｅｂページを取得して記憶手段に記憶するとともに、該Ｗｅｂページを上記料金事前算出サーバに送信する手段と、
上記ユーザ装置から該Ｗｅｂページの送信要求を受け付けて、上記記憶手段から該Ｗｅｂページを抽出して該ユーザ装置に送信する手段と、
上記料金事前算出サーバから該Ｗｅｂページの表示料金の情報を受信し、該Ｗｅｂページが上記ユーザ装置に送信される前に、該受信された表示料金の情報を上記ユーザ装置に通知する通知手段とを備え、
上記料金事前算出サーバが、
上記オペレータサーバから送信されたＷｅｂページの情報量を取得する手段と、
該Ｗｅｂページの情報量に基づいて、該Ｗｅｂページの表示料金を算出する手段と、
該算出されたＷｅｂページの表示料金の情報を上記オペレータサーバが備える通知手段に送信する手段とを備える
ことを特徴とする表示料金通知システム。
【発明の詳細な説明】
【技術分野】
【０００１】
本発明は、表示料金通知方法、料金事前算出サーバ、及び表示料金通知システムに関し、特に、ユーザ装置に対してＷｅｂページを送信する前に、該Ｗｅｂページの表示料金を該ユーザ装置に通知する表示料金通知方法、料金事前算出サーバ、及び表示料金通知システムに関する。
【背景技術】
【０００２】
現在、携帯電話等を用いたＷｅｂブラウジングでは、キャリア（電気通信事業者）が用意するポータルサイトのＷｅｂページからユーザが閲覧したいサイト（例えば、天気、ニュースや路線検索など）をクリックすることで希望のＷｅｂページを表示させる。ポータルサイトは、ユーザがＷｅｂブラウジングをする際に、最初に携帯電話等に表示されるサイト（Ｗｅｂページ群）である。サイトの中には利用料（情報料）を取るサイトも存在し、サイト利用料（情報料）は無料であっても、通常、Ｗｅｂページを表示させるための表示料金が発生する。また、ポータルサイト内には、キャリア自身が情報提供を行っている、サービス条件や申し込み内容を変更するためのＷｅｂページなど、ユーザが接続しに行ってもＷｅｂページの表示料金を無料に設定しているＷｅｂページへのリンクも存在する。ネットワーク上のサイト閲覧においては、一般的に、Ｗｅｂページは、サイト提供者が提供したフォーマット（表示画面) のまま携帯電話等に表示される。
なお、下記の特許文献１に、ユーザが予め登録された情報提供者のサーバにアクセスすることで、ユーザの携帯電話の利用料金を減額する、携帯電話の利用料金減額サービスの提供方法について記載されている。
【特許文献１】特開２００１−３３１５８９号公報
【発明の開示】
【発明が解決しようとする課題】
【０００３】
例えば、現在の携帯電話等のユーザ装置では、情報通信が無料（フリー）のサイトは、文字通り無料である。サイトが無料かどうかは、サイト名（ハイパーリンクされている文字列）の横に「無料」や「Ｆｒｅｅ」といったアイコンや文字が表示されているか否かによって判別可能であるが、通常は、ユーザに対する最初の誘導時（携帯電話に最初に表示されるＷｅｂページ）にのみ上記アイコンや文字が表示されているだけで、該最初に表示されるＷｅｂページ内からリンクされている、更に先のサイトまで無料であるのか、それとも有料となるのか分かりにくい場合が多い。
【０００４】
具体的には、ユーザがユーザ装置を操作してポータルサイトにアクセスすると、ユーザ装置上に、例えば図１９（Ａ）に示すような、サイトの選択画面が表示される。ユーザが、横に「Ｆｒｅｅ」という文字が表示されている無料オタメシというサイトのサイト名をクリックすると、図１９（Ｂ）に示すようなサイトの選択画面が表示される。図１９（Ｂ）に示すサイトの選択画面に表示されている、特許バトル２００６、特許マニア２００６、特許と仲間たちという３個のサイトのサイト名の横には、それぞれのサイトについてのＷｅｂページの表示料金が表示されていない。従って、ユーザは、画面表示されている３個のサイトのいずれかにアクセスする前に、該サイトが有料なのか無料なのかがわからない。
その結果、ユーザが無料であると思って何度もアクセスしていたサイトが実は有料であり、ユーザが覚えのないパケット接続料を請求される、といった状況が起こり得る。現在も、サイトによっては、接続の際、例えば、「通信料として２００円〜２０００円かかります」といった案内をユーザ装置上に表示する技術も存在するが、通信料に１桁の差がある通知はユーザにとって不安を拭いきることはできない、あまり意味のない通知である。
【０００５】
また、１ページの情報が大量にある（大容量）場合には、ユーザが本当に知りたい情報以外も表示されるため、情報の検索（発見）に時間がかかる。そして、該大容量の情報をダウンロードする際の通信料（パケット代）は、データ量に比例して多くかかる。このように、現在のサイト閲覧方法では、ユーザは受動的かつ一方的にサイト提供者のデータを丸ごと選択の余地なしに受信しなければならず、ユーザにとって不満の種となり得る。
本発明は上記問題点を解決するためになされたものであって、ユーザ装置に対してＷｅｂページを送信する前に、該Ｗｅｂページの表示料金を該ユーザ装置に通知する表示料金通知方法、料金事前算出サーバ、及び表示料金通知システムの提供を目的とする。
【課題を解決するための手段】
【０００６】
上記課題を解決するために、本発明は、Ｗｅｂページを実際にユーザ装置上に表示させる前に、料金事前算出サーバが、該Ｗｅｂページの情報量を算出し、該算出した情報量から該Ｗｅｂページの表示料金を算出し、該表示料金の情報をユーザ装置上に表示させる。例えば、ユーザがアクセスしようとしているサイトのサイトアドレス又はサイト名（ハイパーリンクされた文字列）の横などに該表示料金を表示する。ユーザは、ユーザ装置上に表示された表示料金を直接目で見ることによって、該サイトにアクセスして該サイトのＷｅｂページを閲覧する際の料金を確認することができる。
【０００７】
すなわち、本発明は、次のようにして前記課題を解決する。
（１）Ｗｅｂページの表示料金を通知する方法を用いる。上記方法が、ユーザ装置から該ユーザ装置がＷｅｂページを表示するために必要な表示料金の確認要求を受け付け、上記表示料金の確認要求に対応するＷｅｂページを取得し、該取得したＷｅｂページの情報量を取得し、該Ｗｅｂページの情報量に基づいて、該Ｗｅｂページの表示料金を算出し、該Ｗｅｂページを上記ユーザ装置に送信する前に、上記算出された表示料金の情報を該ユーザ装置に通知する。
（２）上記方法が、上記ユーザ装置から、上記Ｗｅｂページの送信要求を、該Ｗｅｂページの表示限度額の情報とともに受け付け、予め設定された、Ｗｅｂページのデータ内容毎の、上記ユーザ装置に表示させる優先順位と表示料金との対応情報に基づいて、表示料金が上記表示限度額以下となる送信データを選択し、選択された送信データを上記ユーザ装置に送信する。
（３）上記方法が、上記ユーザ装置から、上記Ｗｅｂページの送信要求を、該Ｗｅｂページの表示限度額の情報とともに受け付け、表示料金が上記表示限度額以下となるように、上記Ｗｅｂページのデータを編集し、該編集されたデータを上記ユーザ装置に送信する。（４）オペレータサーバと料金事前算出サーバとを備え、ユーザ装置にＷｅｂページの表示料金を通知する表示料金通知システムにおける料金事前算出サーバを設ける。上記料金事前算出サーバが、上記オペレータサーバから、該オペレータサーバが上記ユーザ装置から受け付けたＷｅｂページの表示料金の確認要求に応じて該オペレータサーバが取得したＷｅｂページの情報量を取得する手段と、該取得されたＷｅｂページの情報量に基づいて、該Ｗｅｂページの表示料金を算出する手段と、上記オペレータサーバが上記ユーザ装置から受け付けたＷｅｂページの送信要求に応じて該Ｗｅｂページを上記ユーザ装置に送信する前に、上記オペレータサーバに、上記算出されたＷｅｂページの表示料金の情報を上記ユーザ装置に通知させる手段とを備える。
（５）上記料金事前算出サーバが、上記オペレータサーバから、該オペレータサーバが上記Ｗｅｂページの送信要求とともに上記ユーザ装置から受け付けた該Ｗｅｂページの表示限度額の情報を取得する手段と、予め設定された、Ｗｅｂページのデータ内容毎の、上記ユーザ装置に表示させる優先順位と表示料金との対応情報に基づいて、表示料金が上記表示限度額以下となる送信データを選択し、選択された送信データを上記ユーザ装置に送信する手段とを備える。
（６）上記料金事前算出サーバが、上記オペレータサーバから、該オペレータサーバが上記Ｗｅｂページの送信要求とともに上記ユーザ装置から受け付けた該Ｗｅｂページの表示限度額の情報を取得する手段と、表示料金が上記表示限度額以下となるように、上記Ｗｅｂページのデータを編集し、該編集されたデータを上記ユーザ装置に送信する手段とを備える。
（７）オペレータサーバと料金事前算出サーバとを備え、ユーザ装置にＷｅｂページの表示料金を通知する表示料金通知システムを設ける。上記オペレータサーバが、上記ユーザ装置から該ユーザ装置がＷｅｂページを表示するために必要な表示料金の確認要求を受け付ける手段と、上記表示料金の確認要求に対応するＷｅｂページを取得して記憶手段に記憶するとともに、該Ｗｅｂページを上記料金事前算出サーバに送信する手段と、上記ユーザ装置から該Ｗｅｂページの送信要求を受け付けて、上記記憶手段から該Ｗｅｂページを抽出して該ユーザ装置に送信する手段と、上記料金事前算出サーバから該Ｗｅｂページの表示料金の情報を受信し、該Ｗｅｂページが上記ユーザ装置に送信される前に、該受信された表示料金の情報を上記ユーザ装置に通知する通知手段とを備える。また、上記料金事前算出サーバが、上記オペレータサーバから送信されたＷｅｂページの情報量を取得する手段と、該Ｗｅｂページの情報量に基づいて、該Ｗｅｂページの表示料金を算出する手段と、該算出されたＷｅｂページの表示料金の情報を上記オペレータサーバが備える通知手段に送信する手段とを備える。
【発明の効果】
【０００８】
本発明は、以下の効果を奏することができる。
（１）本発明は、ユーザ装置に対してＷｅｂページを送信する前に、該Ｗｅｂページの表示料金を算出して該ユーザ装置に通知する。従って、本発明によれば、ユーザが、該Ｗｅｂページの送信をオペレータサーバに対して要求する前に、自分が見たいＷｅｂページの表示料金がいくらであるかを知ることができる。その結果、ユーザは、Ｗｅｂページの閲覧のための料金を節約することが可能となる。
（２）本発明は、ユーザ装置から受け付けたＷｅｂページの表示限度額に基づいて、表示料金が表示限度額以下となる送信データを選択し、選択された送信データをユーザ装置に送信する。また、本発明は、ユーザ装置から受け付けたＷｅｂページの表示限度額に基づいて、表示料金が表示限度額以下となるように、Ｗｅｂページのデータを編集し、該編集されたデータをユーザ装置に送信する。従って、本発明によれば、ユーザは、自分が支払ってもよいと思う表示限度額内のＷｅｂページのデータを見ることができる。
【発明を実施するための最良の形態】
【０００９】
図１は、本発明のシステム構成の一例を示す図である。
本発明の表示料金通知システムは、オペレータサーバ１と料金事前算出サーバ２とを備え、ユーザ装置３にＷｅｂページの表示料金を通知する処理システムである。図１中に示すオペレータサーバ１、料金事前算出サーバ２、ユーザ装置３、ＣＮ（コアネットワーク）４は、互いに、図示を省略するネットワークを介して接続されている。
オペレータサーバ１と料金事前算出サーバ２は、共に、同一のキャリアが保有するサーバである。ユーザ装置３は、例えば携帯電話等の、ユーザが操作する処理装置である。ＣＮ４は、大容量の基幹通信回線であって、例えば、インターネットサービスプロバイダの接続拠点間を結ぶ通信回線である。
【００１０】
オペレータサーバ１は、ユーザ装置３からＷｅｂページの表示料金の確認要求を受け付けて、該Ｗｅｂページの取得依頼をＣＮ４に対して送信し、該依頼に応じたＣＮ４から該Ｗｅｂページを取得する。オペレータサーバ１は、取得されたＷｅｂページの表示料金の算出を料金事前算出サーバ２に依頼し、料金事前算出サーバ２が算出した該Ｗｅｂページの表示料金の情報をユーザ装置３に通知してユーザ装置３上に表示させる。上記Ｗｅｂページの表示料金は、ユーザ装置３が該Ｗｅｂページを表示するために必要な表示料金である。また、オペレータサーバ１は、該Ｗｅｂページの表示料金の算出を料金事前算出サーバ２に依頼する際に、該Ｗｅｂページを料金事前算出サーバ２に送信する。なお、オペレータサーバ１は、該Ｗｅｂページに代えて、又は該Ｗｅｂページとともに、該Ｗｅｂページの情報量を料金事前算出サーバ２に送信するようにしてもよい。
ユーザは、ユーザ装置３上に表示された表示料金を見て、該Ｗｅｂページを閲覧するか否かを判断することができる。ユーザが、該Ｗｅｂページを閲覧すると判断した場合、ユーザ装置３は、該ユーザの指定入力に従って、該Ｗｅｂページの送信要求をオペレータサーバ１に対して送信する。オペレータサーバ１は、ユーザ装置３からの該Ｗｅｂページの送信要求を受け付けて、上記ＣＮ４から取得したＷｅｂページをユーザ装置３に送信する。
【００１１】
料金事前算出サーバ２は、オペレータサーバ１からＷｅｂページの表示料金の算出依頼を受けると、該Ｗｅｂページの情報量を算出する。オペレータサーバから該Ｗｅｂページの情報量が送信される実施形態においては、料金事前算出サーバ２は、該送信されたＷｅｂページの情報量を取得する。料金事前算出サーバ２は、該Ｗｅｂページの情報量に基づいて、該Ｗｅｂページの表示料金を算出し、算出されたＷｅｂページの表示料金の情報をオペレータサーバ１に送信する。本発明の一実施形態によれば、料金事前算出サーバ２が、算出されたＷｅｂページの表示料金の情報をユーザ装置３に直接通知するようにしてもよい。
【００１２】
ユーザ装置３は、Ｗｅｂページの表示料金の確認要求をオペレータサーバ１に対して送信し、オペレータサーバ１から該Ｗｅｂページが送信される前に、オペレータサーバ１から該Ｗｅｂページの表示料金の通知を受け、該Ｗｅｂページの表示料金を表示する。また、ユーザ装置３は、Ｗｅｂページの送信要求をオペレータサーバ１に対して送信し、該送信要求に応じてオペレータサーバ１が送信されたＷｅｂページを受信し、表示する。
ＣＮ４は、オペレータサーバ１からＷｅｂページの取得依頼を受けて該Ｗｅｂページを取得し、該取得したＷｅｂページをオペレータサーバ１に送信する。
【００１３】
図２は、オペレータサーバの構成例を示す図である。
オペレータサーバ１は、通信信号制御部１１、データ制御部２、データ一時保存部１３を備える。図２中に示す太い矢印はデータの流れを示し、細い矢印は制御信号の流れを示す（後述する図３においても同様である）。
通信信号制御部１１は、図示を省略するネットワークを介して、料金事前算出サーバ２、ユーザ装置３、ＣＮ４との間で制御信号を送受信する。具体的には、通信信号制御部１１は、ユーザ装置３から該ユーザ装置３がＷｅｂページを表示するために必要な表示料金の確認要求を受け付け、ＣＮ４に対して該Ｗｅｂページの取得依頼を送信する。また、通信信号制御部１１は、ＣＮ４から送信された該Ｗｅｂページがデータ一時保存部１３に記憶されたことをデータ制御部１２から通知されると、データ制御部１２に制御信号を送信して、データ一時保存部１３に記憶された該Ｗｅｂページを料金事前算出サーバ２に送信するとともに、該Ｗｅｂページの表示料金の算出依頼を料金事前算出サーバ２に送信する。通信信号制御部１１は、上記Ｗｅｂページの送信に代えて、又は、該Ｗｅｂページの送信とともに、該Ｗｅｂページの情報量の情報を料金事前算出サーバ２に送信するようにしてもよい。
【００１４】
また、通信信号制御部１１は、料金事前算出サーバ２から送信された該Ｗｅｂページの表示料金がデータ一時保存部１３に記憶されたことをデータ制御部１２から通知されると、データ制御部１２に制御信号を送信して、データ一時保存部１３に記憶された該表示料金の情報を、該Ｗｅｂページがユーザ装置３に送信される前に、ユーザ装置３に通知させる。また、通信信号制御部１１は、ユーザ装置３から該Ｗｅｂページの送信要求を受け付けると、データ制御部に制御信号を送信して、データ一時保存部１３から該Ｗｅｂページを抽出して、該抽出されたＷｅｂページをユーザ装置３に送信させる。また、通信信号制御部１１は、ユーザ装置３からＷｅｂページの送信要求を受けて、データ制御部１２に制御信号を送信し、データ一時保存部１３に記憶されている該Ｗｅｂページをユーザ装置３に送信させる。
本発明の一実施形態によれば、通信信号制御部１１が、ユーザ装置３から、Ｗｅｂページの送信要求とともに該Ｗｅｂページの表示限度額の情報を受信し、該Ｗｅｂページの表示限度額の情報を料金事前算出サーバ２に送信するようにしてもよい。
【００１５】
データ制御部１２は、上記通信信号制御部１１から送信される制御信号に従った処理を行う。また、データ制御部１２は、データ一時保存部１３に、ＣＮ４から送信されたＷｅｂページ、料金事前算出サーバ２から送信されたＷｅｂページの表示料金の情報を記憶し、通信信号制御部１１に対して、Ｗｅｂページ、Ｗｅｂページの表示料金の情報がデータ一時保存部１３に記憶されたことを通知する。
本発明の一実施形態によれば、データ制御部１２は、料金事前算出サーバ２によって選択されて送信された、表示料金が表示限度額以下となる送信データを受信し、該受信した送信データをユーザ装置３に送信する。また、本発明の一実施形態によれば、データ制御部１２は、料金事前算出サーバ２によって編集されて送信された、表示料金が表示限度額以下となるＷｅｂページのデータを受信し、該受信したＷｅｂページのデータをユーザ装置３に送信する。
【００１６】
データ一時保存部１３には、ＣＮ４から送信されたＷｅｂページ、料金事前算出サーバ２から送信されたＷｅｂページの表示料金の情報が記憶される。本発明の一実施形態によれば、データ一時保存部１３には、更に、上記Ｗｅｂページの情報量の情報が記憶される。
本発明の一実施形態によれば、オペレータサーバ１が、図３を参照して後述する料金事前算出サーバ２が備える顧客情報ＤＢ２５と同様の顧客情報ＤＢを備えるようにしてもよい。また、データ制御部１２が、通信信号制御部１１からの制御信号に従って、Ｗｅｂページの表示料金の算出依頼を料金事前算出サーバ２に送信する際に、上記顧客情報ＤＢに記憶されているユーザの情報を料金事前算出サーバ２に送信するようにしてもよい。
【００１７】
図３は、料金事前算出サーバの構成例を示す図である。
料金事前算出サーバ２は、通信信号制御部２１、データ制御部２２、データ一時保存部２３、料金算出部２４、顧客情報データベース（ＤＢ）２５を備える。
通信信号制御部２１は、図示を省略するネットワークを介して、オペレータサーバ１及びユーザ装置３との間で制御信号を送受信する。具体的には、通信信号制御部２１は、オペレータサーバ１から送信されたＷｅｂページの表示料金の算出依頼を受けて、料金算出部２４に制御信号を送信し、該Ｗｅｂページの表示料金の算出処理を実行させる。該料金算出部２４によって算出された表示料金は、データ一時保存部２３に記憶される。
【００１８】
また、通信制御部２１は、料金算出部２４から該Ｗｅｂページの表示料金の算出処理が完了したことを通知されると、データ制御部２２に制御信号を送信して、データ一時保存部２３に記憶された該Ｗｅｂページの表示料金の情報をオペレータサーバ２に送信させる。
本発明の一実施形態によれば、通信信号制御部２１は、オペレータサーバ１から送信された、Ｗｅｂページの表示限度額の情報を受信して、該Ｗｅｂページの表示限度額の情報を料金算出部２４に通知する。
【００１９】
データ制御部２２は、上記通信信号制御部２１から送信される制御信号に従った処理を行う。また、データ制御部２２は、オペレータサーバ１から送信されたＷｅｂページをデータ一時保存部２３に記憶するとともに、該Ｗｅｂページが送信されたときの通信データに基づいて該Ｗｅｂページの情報量（例えば、パケット数）を算出し、該算出した情報量をデータ一時保存部２３に記憶する。オペレータサーバ１が料金事前算出サーバ２に対してＷｅｂページの情報量を送信する構成を採る場合には、データ制御部２２は、該送信されたＷｅｂページの情報量を取得して、データ一時保存部２３に記憶する。
本発明の一実施形態によれば、データ制御部２２は、料金算出部２４が選択する、表示料金が表示限度額以下となる送信データをオペレータサーバ１に送信する。また、本発明の一実施形態によれば、データ制御部２２は、料金算出部２４が編集する、表示料金が表示限度額以下となるＷｅｂページのデータをオペレータサーバ１に送信する。
【００２０】
データ一時保存部２３には、オペレータサーバ１から送信されたＷｅｂページと、該Ｗｅｂページの情報量が記憶される。また、データ一時保存部２３には、料金算出部２４が算出したＷｅｂページの表示料金の情報が記憶される。
料金算出部２４は、通信信号制御部２１から送信された制御信号を受けて、データ一時保存部２３に記憶されているＷｅｂページの情報量を取得する。また、料金算出部２４は、上記取得した該Ｗｅｂページの情報量に基づいて、該Ｗｅｂページの表示料金を算出し、算出した表示料金の情報をデータ一時保存部２３に保存する。
【００２１】
本発明の一実施形態によれば、料金算出部２４は、Ｗｅｂページの情報量と、後述する顧客情報ＤＢ２５に記憶されているユーザの情報とに基づいて、該Ｗｅｂページの表示料金を算出するようにしてもよい。また、本発明の一実施形態によれば、料金算出部２４は、例えば、Ｗｅｂページのデータ内容毎の、ユーザ装置３に表示させる優先順位と表示料金との対応情報を、図４に示すような優先順位表として所定のバッファ内に有している。該優先順位表中の優先順位は、予め設定しておいてもよいし、ユーザの指定入力に従って料金算出部２４が設定するようにしてもよい。図４に示すように、例えば、ニュースというサイトについて、上記優先順位が最も高い優先度１であるデータ内容は、トップニュース（見出しと概要）であり、その表示金額は８円に設定されている。
【００２２】
料金算出部２４は、通信信号制御部２１からＷｅｂページの表示限度額の情報の通知を受けると、上記バッファ内の情報を参照して、表示料金が上記表示限度額以下となる送信データを選択し、選択された送信データをデータ一時保存部２３に記憶する。そして、データ制御部２２が、上記データ一時保存部２３に記憶された、選択された送信データをオペレータサーバ１に送信する。
また、本発明の一実施形態によれば、料金算出部２４は、通信信号制御部２１からＷｅｂページの表示限度額の情報の通知を受けると、上記バッファ内の情報を参照して、表示料金が上記表示限度額以下となるように、上記Ｗｅｂページのデータを編集し、該編集されたデータをデータ一時保存部２３に記憶する。そして、データ制御部２２が、上記データ一時保存部２３に記憶された、編集された該Ｗｅｂページのデータをオペレータサーバ１に送信する。
【００２３】
顧客情報ＤＢ２５には、ユーザの情報が記憶されている。該ユーザの情報は、例えば、ユーザ毎の、該ユーザが加入している加入サービスへの加入年数、ユーザがオペレータサーバ１への接続を許可されている時間帯である接続時間帯、ユーザの加入サービスの種別（例えば、パケット割）等の情報である。
【００２４】
図５は、本発明の実施例１における処理シーケンスの例を説明する図である。
ユーザが、ユーザ装置（例えば、携帯端末）３を操作して、オペレータサーバ１にアクセスすると、例えば、図６（Ａ）に示すような、特許バトル２００６、特許マニア、特許と仲間たちといったサイトの選択画面が表示される。ユーザは、例えば、特許マニア２００６のサイトを閲覧（表示）したいと思い、図６（Ａ）中に表示された、特許マニア２００６のサイト名をクリックする。また、ユーザは、例えば、特許と仲間たちのサイトを閲覧（表示）したいと思い、図６（Ａ）中に表示された、特許と仲間たちのサイト名をクリックする。ユーザが上記サイトの選択画面上でサイト名をクリックすると、ユーザ装置（携帯端末）３が、該サイト名が示すサイトのＷｅｂページの表示料金の確認要求をオペレータサーバ１に対して送信する（図５の＃１参照）。
【００２５】
次に、オペレータサーバ１が、ＣＮ４に対して該Ｗｅｂページの取得依頼を送信する（図５の＃２参照）。ＣＮ４は、依頼されたＷｅｂページの情報を収集し（図５の＃３参照）、該収集したＷｅｂページの情報をオペレータサーバ１に対して送信する（図５の＃４参照）。上記オペレータサーバ１に対して送信されるＷｅｂページの情報は、該Ｗｅｂページの情報量の情報を含んでいる。
オペレータサーバ１は、ＣＮ４から送信された情報を料金事前算出サーバ２へ転送して、料金事前算出サーバ２に対してＷｅｂページの表示料金の算出依頼を行う（図５の＃５参照）。料金事前算出サーバ２は、オペレータサーバ１から送信された情報に基づいて、Ｗｅｂページの情報量を取得し、該Ｗｅｂページの情報量と、顧客情報ＤＢ２５内に記憶されたユーザの情報とに基づいて、該Ｗｅｂページの表示料金を算出する（図５の＃６参照）。料金事前算出サーバ２は、算出したＷｅｂページの表示料金をオペレータサーバ１に送信する（図５の＃７参照）。
【００２６】
オペレータサーバ１は、該Ｗｅｂページの表示料金をユーザ装置３に通知する（図５の＃８参照）。その結果、例えば図６（Ｂ）に示すように、ユーザ装置２上で、特許マニア２００６というサイトのサイト名の横に該サイトの表示料金［￥１５］が表示される。また、例えば図６（Ｃ）に示すように、ユーザ装置２上で、特許と仲間たちというサイトのサイト名の横に該サイトの表示料金［￥５５］が表示される。ユーザは、ユーザ装置２上に表示された表示料金を見て、該サイトを見ることにするのか、それとも見ないことにするのかを決める。
【００２７】
なお、Ｗｅｂページの表示料金の表示のタイミングは、上述したように、ユーザが図６（Ａ）に示すようなサイトの選択画面から特定のサイト名をクリックした後でもよいし、例えばユーザがオペレータサーバ１にアクセスして、図６（Ａ）に示すようなサイトの選択画面がユーザ装置３上に表示された直後（もしくは同時）であってもよい。
後者のタイミングで表示料金を表示する場合、図６（Ａ）に示すようなサイトの選択画面がユーザ装置３上に表示された直後（もしくは同時）に、料金事前算出サーバ２が該サイトの選択画面上の全てのサイトの表示料金を算出し、ユーザ装置３が該表示料金を表示する。前者のタイミングの場合と後者のタイミングの場合のいずれの場合にも、表示料金を表示させる時の通信データ量は、（選択対象とするサイトのサイト名等を表示させるための通信データ量を除いた）表示料金の表示分だけであることが望ましい。本発明の一実施形態によれば、ユーザ装置１が、表示料金を、該表示料金に対応するサイトのサイト名の横に表示するのではなく、図７に示すように、該表示料金に対応するサイトに対応付けて、アンテナの横の時刻表示がされている表示領域に表示するようにしてもよい。
【００２８】
図５に戻って、ユーザ装置２上に表示された表示料金を見たユーザが、該サイト（のＷｅｂページ）をみることを決め、ユーザ装置２上に表示されている該サイトのサイト名等をクリックすると、ユーザ装置３が、該Ｗｅｂページの送信要求をオペレータサーバ１に送信する（図５の＃９参照）。オペレータサーバ１は、ユーザ装置３から該Ｗｅｂページの送信要求を受信すると、該Ｗｅｂページをユーザ装置１に対して送信する（図５の＃１０参照）。
【００２９】
次に、本発明の実施例２について説明する。本発明の実施例２では、ユーザ装置３が、Ｗｅｂページの表示限度額を設定し、料金事前算出サーバ２が、表示金額が上記設定された表示限度額以下となるような送信データを決定して、該送信データをユーザ装置３に対して送信する。表示限度額の設定は、ユーザ装置（例えば携帯端末）３のメニューからの操作により設定可能としてもよいし、ユーザ装置３の表示画面上で入力するようにしてもよい。本発明の実施例２では、例えば、ユーザ装置３が、ユーザが選択したサイトの表示金額をユーザ装置３上に表示することなく、ユーザの指定入力に従ってユーザ装置３が入力した表示限度額以下のデータをユーザ装置３上に表示する。なお、ユーザ装置３がオペレータサーバ１から送信されたＷｅｂページの表示金額の情報を表示した後に、表示するＷｅｂページの情報を絞るために表示限度額を入力するようにしてもよい。本発明の実施例２では、サーバ側（オペレータサーバ１及び料金事前算出サーバ２）は、Ｗｅｂページの各種のデータ内容を個別に管理（把握) することが可能であるものとする。例えば、サーバ側は、文章と図といった、属性が明らかに違うものを別個に管理したり、同じ文章においても１文１文を個別のものとして管理する。
【００３０】
図８は、本発明の実施例２における処理シーケンスの一例を説明する図である。
図８では、ユーザ装置３が、ユーザが選択したサイトの表示金額をユーザ装置３上に表示することなく、ユーザの指定入力に従ってユーザ装置３が入力した表示限度額以下のデータをユーザ装置３上に表示する場合を例にとって説明する。
まず、ユーザ装置３が、ユーザの指定入力に従って、Ｗｅｂページの送信要求を該Ｗｅｂページの表示限度額とともにオペレータサーバ１に対して送信する（図８の＃１）。例えば、ユーザが、オペレータサーバ１にアクセスしたときにユーザ装置３上に表示される、図９に示すようなサイトの選択画面上で、表示限度額「１５円」を入力して、ニュースというサイトのサイト名をクリックすると、該表示限度額の情報と、該サイトの送信要求とがオペレータサーバ１に対して送信される。
【００３１】
次に、オペレータサーバ１が、ＣＮ４に対して該Ｗｅｂページの取得依頼を送信する（図８の＃２参照）。本発明の一実施形態によれば、上記図８の＃１の処理の後、料金事前算出サーバ２が、オペレータサーバ１を通じて、上記表示限度額で、図４に示す優先順位表に設定されたデータのうち、どの優先度のデータまで見られるかをユーザ装置３に対して通知するようにしてもよい。そして、該通知に応じたユーザ装置３から送信された、データの選択情報に基づいて、オペレータサーバ１が、ＣＮ４に対して該Ｗｅｂページの取得依頼を送信するようにしてもよい。
【００３２】
オペレータサーバ１が、料金事前算出サーバ２に表示限度額の情報を通知する（図８の＃３参照）。料金事前算出サーバ２は、オペレータサーバ１から通知された表示限度額の情報をデータ一時保存部２３に記憶する（図８の＃４参照）。
一方、ＣＮ４は、オペレータサーバ１から依頼されたＷｅｂページの情報を収集し（図８の＃５参照）、該収集したＷｅｂページの情報をオペレータサーバ１に対して送信する（図８の＃６参照）。上記オペレータサーバ１に対して送信されるＷｅｂページの情報は、該Ｗｅｂページの情報量の情報を含んでいる。
【００３３】
オペレータサーバ１は、ＣＮ４から送信されたＷｅｂページの情報を料金事前算出サーバ２へ転送する（図８の＃７参照）。料金事前算出サーバ２は、例えば図４に示すような優先順位表を参照して、該Ｗｅｂページについてのデータ内容のうち、表示料金が図８の＃４において記憶された表示限度額以下となる送信データを選択する（図８の＃８参照）。例えば、図４に示す優先順位表に設定された、ニュースというサイトについての優先度１のデータ内容（トップニュース（見出しと概要））と、優先度２のデータ内容（トップニュース（詳細））とが送信データとして選択される。
【００３４】
料金事前算出サーバ２は、選択された送信データをオペレータサーバ１に送信する（図８の＃９）。オペレータサーバ１は、料金事前算出サーバ２から送信された送信データをユーザ装置３に送信する（図８の＃１０）。その結果、ユーザ装置３上に、例えば図１０に示すような文字データが表示される。なお、図８の＃１０において、オペレータサーバ１が、ユーザに更なる情報が存在することを通知するための情報（例えば、「もっと見る」といった文字情報）をユーザ装置３に表示させるようにしてもよい。
なお、図８の＃８において、料金事前算出サーバ２が、選択対象となるデータ内容のうち、表示限度額以下であるデータ内容がないと判断した場合、料金事前算出サーバ２は、（オペレータサーバ１を通じて）ユーザ装置３に、ユーザに対して表示限度額を上げるように促すためのメッセージを表示させるようにしてもよい。
【００３５】
図１１は、図８の＃８における、料金事前算出サーバによる送信データの選択処理フローの一例を示す図である。
まず、料金事前算出サーバ２が、図４に示す優先順位表を参照して、優先度１のデータが表示限度額内かを判断する（ステップＳ１）。料金事前算出サーバ２が、優先度１のデータが表示限度額内でないと判断した場合、料金事前算出サーバ２は、ユーザ装置３に対して表示限度額を上げるように通知する（ステップＳ２）。料金事前算出サーバ２が、優先度１のデータが表示限度額内であると判断した場合、料金事前算出サーバ２は、優先度２のデータを追加したときに表示限度額内かを判断する（ステップＳ３）。料金事前算出サーバ２が、優先度２のデータを追加したときに表示限度額内でないと判断した場合、料金事前算出サーバ２は、優先度１のデータのみを（オペレータサーバ１を通じて）ユーザ装置３に送信する（ステップＳ４）。料金事前算出サーバ２が、優先度２のデータを追加したときに表示限度額内であると判断した場合、料金事前算出サーバ２は、優先度３のデータを追加したときに表示限度額内かを判断する（ステップＳ５）。料金事前算出サーバ２が、優先度３のデータを追加したときに表示限度額内でないと判断した場合、料金事前算出サーバ２は、優先度１のデータと優先度２のデータを（オペレータサーバ１を通じて）ユーザ装置３に送信する（ステップＳ６）。
【００３６】
料金事前算出サーバ２は、以下、同様に、優先度を順次下げていき、各々の優先度のデータを追加したときに表示限度額内であるかの判断処理を行う。そして、料金事前算出サーバ２が、優先度が最も小さい優先度Ｎのデータを追加したときに表示限度額内であるかを判断し（ステップＳ７）、優先度Ｎのデータを追加したときに表示限度額内でないと判断した場合、料金事前算出サーバ２は、優先度Ｎ−１までのデータを（オペレータサーバ１を通じて）ユーザ装置３に送信する（ステップＳ８）。料金事前算出サーバ２が、優先度Ｎのデータを追加したときに表示限度額内であると判断した場合は、優先度Ｎまでのデータをユーザ装置３に送信して（ステップＳ９）、処理を終了する。
【００３７】
ここで、表示限度額が１５円に設定されたとし、図１１を参照して前述した送信データの選択処理フローに従うと、料金事前算出サーバ２は、図４に示す優先順位表を参照して、ニュースに関しては、優先度２のデータまで表示すると１６円かかってしまうため、優先度１のデータまで（８円分）の表示とし、天気予報に関しては、優先度２のデータまで表示可能（１４円）であるため、優先度２のデータまで（１４円分）表示する。
【００３８】
図１２は、本発明の実施例２における処理シーケンスの他の例を説明する図である。
図１２では、ユーザ装置３が、オペレータサーバ１から送信されたＷｅｂページの表示金額の情報を表示した後に、表示するＷｅｂページの情報を絞るために表示限度額を入力する場合を例にとって説明する。すなわち、図１２は、図５を参照して前述した処理シーケンスにおける＃９と＃１０に示す処理の変形例である。
まず、ユーザ装置３が、ユーザの指定入力に従って、Ｗｅｂページの送信要求を該Ｗｅｂページの表示限度額とともにオペレータサーバ１に対して送信する（図１２の＃１参照）。例えば、図５を参照して前述した処理シーケンスに従って、該図５の＃８の処理の後、ユーザ装置３上に図１３に示すようなサイトの選択画面が表示されると、ユーザは、該選択画面上で、表示限度額「５円」を入力して、ニュースというサイトのサイト名をクリックする。該表示限度額の情報と、該サイトの送信要求とがオペレータサーバ１に対して送信される。
【００３９】
次に、オペレータサーバ１が、料金事前算出サーバ２に表示限度額の情報を通知する（図１２の＃２参照）。料金事前算出サーバ２は、オペレータサーバ１から通知された表示限度額の情報をデータ一時保存部２３に記憶する（図１２の＃３参照）。オペレータサーバ１は、データ一時保存部１３に記憶されているＷｅｂページの情報を料金事前算出サーバ２へ送信する（図１２の＃４参照）。料金事前算出サーバ２は、例えば図４に示すような優先順位表を参照して、該Ｗｅｂページについてのデータ内容のうち、表示料金が＃４において記憶された表示限度額以下となる送信データを選択する（図１２の＃５参照）。  料金事前算出サーバ２は、選択された送信データをオペレータサーバ１に送信する（図２の＃６）。オペレータサーバ１は、料金事前算出サーバ２から送信された送信データをユーザ装置３に送信する（図１２の＃７参照）。
【００４０】
次に、本発明の実施例３について説明する。本発明の実施例３では、ユーザ装置３が、Ｗｅｂページの表示限度額を設定し、料金事前算出サーバ２が、表示金額が上記設定された表示限度額以下となるように、該Ｗｅｂページのデータを編集して、該編集されたデータをユーザ装置３に対して送信する。
【００４１】
図１４は、本発明の実施例３における処理シーケンスの一例を説明する図である。
図１４では、ユーザ装置３が、ユーザが選択したサイトの表示金額をユーザ装置３上に表示することなく、ユーザの指定入力に従ってユーザ装置３が入力した表示限度額以下のデータをユーザ装置３上に表示する場合を例にとって説明する。
まず、ユーザ装置３が、ユーザの指定入力に従って、Ｗｅｂページの送信要求を該Ｗｅｂページの表示限度額とともにオペレータサーバ１に対して送信する（図１４の＃１参照）。次に、オペレータサーバ１が、ＣＮ４に対して該Ｗｅｂページの取得依頼を送信する（図１４の＃２参照）。また、オペレータサーバ１が、料金事前算出サーバ２に表示限度額の情報を通知する（図１４の＃３参照）。料金事前算出サーバ２は、オペレータサーバ１から通知された表示限度額の情報をデータ一時保存部２３に記憶する（図１４の＃４参照）。
【００４２】
一方、ＣＮ４は、オペレータサーバ１から依頼されたＷｅｂページの情報を収集し（図１４の＃５参照）、該収集したＷｅｂページの情報をオペレータサーバ１に対して送信する（図１４の＃６参照）。上記オペレータサーバ１に対して送信されるＷｅｂページの情報は、該Ｗｅｂページの情報量の情報を含んでいる。
オペレータサーバ１は、ＣＮ４から送信されたＷｅｂページの情報を料金事前算出サーバ２へ転送する（図１４の＃７参照）。料金事前算出サーバ２は、表示料金が上記データ一時保存部２３に記憶された表示限度額以下となるように、所定の編集ルールに基づいて、上記Ｗｅｂページのデータを編集する（図１４の＃８参照）。料金事前算出サーバ２は、例えば、Ｗｅｂページのデータが文字データである場合に、該文字データを全て体言止めに変更したり、ひらがなを漢字に変換したり、英語のデータを略語のデータに変換したりすることで、該文字データのデータ量を削減（文章を構成）して、該文字データの表示料金が表示限度額以下となるようにする。より、具体的には、「〜とのことです。」という文章を「〜とのこと。」として２文字削減し、更に、「こと」を「事」に変換して、１文字削減する。上記所定の編集ルールとして、予め文章と編集後の文章との対応フォーマットを料金事前算出サーバ２内に用意しておいてもよいし、上記のようなＷｅｂページのデータの編集を可能とするエンジンを持つツール（ソフトウェア）を用いるようにしてもよい。
【００４３】
料金事前算出サーバ２は、編集されたＷｅｂページのデータをオペレータサーバ１に送信する（図１４の＃９参照）。オペレータサーバ１は、料金事前算出サーバ２から送信されたＷｅｂページのデータをユーザ装置３に送信する（図１４の＃１０参照）。その結果、ユーザ装置３上に、例えば図１５に示すような文字データが表示される。料金事前算出サーバ２は、オペレータサーバ１を通じて、図１５中に示すように、該編集されたデータを表示するためにかかった料金（４．５円）をユーザ装置３上に画面表示するようにしてもよい。  なお、図１４の＃８において、料金事前算出サーバ２が、Ｗｅｂページのデータを編集しても表示限度額以下とすることができないと判断した場合、料金事前算出サーバ２は、（オペレータサーバ１を通じて）ユーザ装置３に、図１６に示すような、ユーザに対して表示限度額を上げるように促すためのメッセージを表示させるようにしてもよい。
また、料金事前算出サーバ２は、ユーザに対して、編集したデータ以外の更なる情報が存在することを意識させるために、ユーザ装置上で、例えば編集によって省略した部分（例えば文末) に、「もっと見る」といった文字などを表示させるようにしてもよい。
【００４４】
ユーザが、表示限度額として「５円」を設定したとすると、該ユーザがニュースを見たい場合、図１１を参照して前述した本発明の実施例２によれば、図４に示す優先順位表に設定された優先度１のデータを表示するだけでも最低「８円」かかってしまうが、本発明の実施例３によれば、料金事前算出サーバ２が、文章をより簡潔にかつ短く編集することで、送信データ量を削減して、該５円という表示限度額内の表示料金で、該ユーザが、ニュースに関する情報を閲覧することができるようになる。
【００４５】
図１７は、本発明の実施例３における処理シーケンスの他の例を説明する図である。
図１７では、ユーザ装置３が、オペレータサーバ１から送信されたＷｅｂページの表示金額の情報を表示した後に、表示するＷｅｂページの情報を絞るために表示限度額を入力する場合を例にとって説明する。
まず、ユーザ装置３が、ユーザの指定入力に従って、Ｗｅｂページの送信要求を該Ｗｅｂページの表示限度額とともにオペレータサーバ１に対して送信する（図１７の＃１）。例えば、図５を参照して前述した処理シーケンスに従って、該図５の＃８の処理の後、ユーザ装置３上に前述した図１３に示すようなサイトの選択画面が表示されると、ユーザは、該選択画面上で、表示限度額「５円」を入力して、ニュースというサイトのサイト名をクリックする。該表示限度額の情報と、該サイトの送信要求とがオペレータサーバ１に対して送信される。
【００４６】
次に、オペレータサーバ１が、料金事前算出サーバ２に表示限度額の情報を通知する（図１７の＃２参照）。料金事前算出サーバ２は、オペレータサーバ１から通知された表示限度額の情報をデータ一時保存部２３に記憶する（図１７の＃３参照）。
オペレータサーバ１は、データ一時保存部１３に記憶されているＷｅｂページの情報を料金事前算出サーバ２へ送信する（図１７の＃４参照）。料金事前算出サーバ２は、表示料金が上記データ一時保存部２３に記憶された表示限度額以下となるように、所定の文字編集ルールに基づいて、上記Ｗｅｂページのデータを編集する（図１７の＃５参照）。料金事前算出サーバ２は、編集された送信データをオペレータサーバ１に送信する（図１７の＃６参照）。オペレータサーバ１は、料金事前算出サーバ２から送信された送信データをユーザ装置３に送信する（図１７の＃７参照）。
【００４７】
図１８は本発明の全体処理フローの例を説明する図である。
本発明の表示料金通知システムが、Ｗｅｂページの表示限度額を設定可能でない場合（ステップＳ１１）、本発明の表示料金通知システムが、ユーザ装置３上に、Ｗｅｂページの表示料金を表示させる（ステップＳ１２）。表示料金通知システムが、Ｗｅｂページの表示限度額を設定可能である場合、ユーザ装置３が、Ｗｅｂページの表示限度額を入力する（ステップＳ１３）。次に、料金事前算出サーバ２が、自サーバが図４に示すような優先順位表を扱うサーバであるかを判断する（ステップＳ１４）。料金事前算出サーバ２が、自サーバが優先順位表を扱うサーバであると判断した場合、料金事前算出サーバ２は、ユーザ装置３上への表示対象とする送信データを選択する（ステップＳ１５）。料金事前算出サーバ２が、自サーバが優先順位表を扱うサーバでないと判断した場合、料金事前算出サーバ２が、Ｗｅｂページの表示料金が表示限度額内であるかを判断する（ステップＳ１６）。
【００４８】
料金事前算出サーバ２が、Ｗｅｂページの表示料金が表示限度額内であると判断した場合、料金事前算出サーバ２は、ステップＳ１５において選択された送信データを（オペレータサーバ１を通じて）送信し、ユーザ装置３上に表示させる（ステップＳ１７）。料金事前算出サーバ２が、Ｗｅｂページの表示料金が表示限度額内でないと判断した場合、料金事前算出サーバ２は、自サーバがＷｅｂページのデータ内容を編集可能なサーバであるかを判断する（ステップＳ１８）。料金事前算出サーバ２が、自サーバがＷｅｂページのデータ内容を編集可能なサーバであると判断した場合、料金事前算出サーバ２は、Ｗｅｂページの編集処理を実行する（ステップＳ１９）。料金事前算出サーバ２が、自サーバがＷｅｂページのデータ内容を編集可能なサーバでないと判断した場合、料金事前算出サーバ２は、Ｗｅｂページの表示料金が表示限度額内であるかを判断する（ステップＳ２０）。料金事前算出サーバ２が、Ｗｅｂページの表示料金が表示限度額内であると判断した場合、料金事前算出サーバ２は、上記ステップＳ１９における編集処理後のデータをユーザ装置３上に表示させる（ステップＳ２１）。料金事前算出サーバ２が、Ｗｅｂページの表示料金が表示限度額内でないと判断した場合、料金事前算出サーバ２は、例えば、Ｗｅｂページを表示できないことを示す情報をユーザ装置３上に表示させる（ステップＳ２２）。
【産業上の利用可能性】
【００４９】
以上、説明したように、本発明によれば、ユーザが、該Ｗｅｂページの送信をオペレータサーバに対して要求する前に、自分が見たいＷｅｂページの表示料金がいくらであるかを知ることができる。その結果、ユーザは、Ｗｅｂページの閲覧のための料金を節約することが可能となる。また、本発明によれば、ユーザは、自分が支払ってもよいと思う表示限度額内のＷｅｂページのデータを見ることができる。
【図面の簡単な説明】
【００５０】
【図１】本発明のシステム構成の一例を示す図である。
【図２】オペレータサーバの構成例を示す図である。
【図３】料金事前算出サーバの構成例を示す図である。
【図４】優先順位表の例を示す図である。
【図５】本発明の実施例１における処理シーケンスの例を説明する図である。
【図６】サイトの選択画面及び表示料金の表示例を示す図である。
【図７】表示料金の表示例を示す図である。
【図８】本発明の実施例２における処理シーケンスの一例を説明する図である。
【図９】サイトの選択画面の表示例を示す図（１）である。
【図１０】ユーザ装置上への文字データの表示例（１）である。
【図１１】料金事前算出サーバによる送信データの選択処理フローの一例を示す図である。
【図１２】本発明の実施例２における処理シーケンスの他の例を説明する図である。
【図１３】サイトの選択画面の表示例を示す図（２）である。
【図１４】本発明の実施例３における処理シーケンスの一例を説明する図である。
【図１５】ユーザ装置上への文字データの表示例（２）である。
【図１６】ユーザ装置へのメッセージの表示例である。
【図１７】本発明の実施例３における処理シーケンスの他の例を説明する図である。
【図１８】本発明の全体処理フローの例を説明する図である。
【図１９】サイトの選択画面の表示例を示す図（３）である。
【符号の説明】
【００５１】
１  オペレータサーバ
２  料金事前算出サーバ
３  ユーザ装置
４  ＣＮ
１１、２１  通信信号制御部
１２、２２  データ制御部
１３、２３  データ一時保存部
２４  料金算出部
２５  顧客情報ＤＢ
【図１】
2009003694.tif 000003
【図２】
2009003694.tif 000004
【図３】
2009003694.tif 000005
【図４】
2009003694.tif 000006
【図５】
2009003694.tif 000007
【図６】
2009003694.tif 000008
【図７】
2009003694.tif 000009
【図８】
2009003694.tif 000010
【図９】
2009003694.tif 000011
【図１０】
2009003694.tif 000012
【図１１】
2009003694.tif 000013
【図１２】
2009003694.tif 000014
【図１３】
2009003694.tif 000015
【図１４】
2009003694.tif 000016
【図１５】
2009003694.tif 000017
【図１６】
2009003694.tif 000018
【図１７】
2009003694.tif 000019
【図１８】
2009003694.tif 000020
【図１９】
2009003694.tif 000021